(57)【要約】      （修正有）【課題】使用後のペットボトルを回収する際や、ボトルに液状物を封入する際、運送車に収納される製造時のボトルの容積を実質的に縮少して回収や封入作業の効率化を図るペットボトルを提供する。【解決手段】柔軟性で可撓性のある比較的硬質の合成樹脂材で製造されたペットボトルにおいて、上記ボトルの底面部３の対向端縁３a”,３a’に、凹部４と凸部５とを対設し、ボトルの外周側から凹部と凸部をそれぞれ、内方へ僅かな押圧力で押圧することによって容易に係合が出来、僅かな引離力で引き離なすこととによって係合が容易に離脱できるように構成した。【選択図】図２
2009161240.tif 000002
【特許請求の範囲】
【請求項１】
柔軟性で可撓性のある比較的硬質の合成樹脂材で製造されたペットボトルにおいて、上記ボトルの底面部裏面側の側縁対向部位に、それぞれ凹部と凸部とを対設し、上記、凹部と凸部をボトル本体の外周面からそれぞれ内方へ押圧することによって、底面部が山形状に折曲して、凹部と凸部が係合され、係合時にボトルの容積が実質的に縮少されるとともに、折曲された底面部を外方へ開くことによって、係合状態が離脱して容積が復元可能となるように形成されていることを特徴とするペットボトル。
【発明の詳細な説明】
【技術分野】
【０００１】
本発明はペットボトルに係り、詳しくは、使用後のボトルを回収する際やボトルに液状物を封入する際、運送車に収納されるペットボトルの容積を実質的に縮少し、かつ、液状物封入時には容積が復元可能になるように成型して、回収作業や封入作業を効率的に行うことが出来るペットボトルに関するものである。
【背景技術】
【０００２】
ペットボトルは、ポリエチレンテフタレート樹脂をペレット化し、これを射出・加熱しながら所定の型枠内で縦横方向に延伸加工して得られたプラスチック製品で、飲料水・酒類・鬻油・シャンプー等の液状物を封入し、これらの商品を市販するために幅広く使用されている。
【０００３】
ところが、この種のペットボトルは、使用後に不用となった「空」のボトルが、そのままの形状で残りそのため容積が大きく嵩ばるので、回収作業の際、所定の焼却処理施設やリサイクル工場に搬送する場合、運送車の収納スペースに限りがあるため、運送量を増大することが出来ないという欠点があった。
【０００４】
そこで、上記のような欠点を解消するため、従来の技術では、ペットボトルの周壁を蛇腹状に形成してボトル本体を垂直方向に押圧することにより、容積を実質的に縮少したり、或いは縮少した状態が経時的に復元するのを阻止すべく、ボトルとは別体の保持具を設け、縮少させたボトルの上端部と底部とを保持具を介して係合し、ボトルの縮少状態を保持するようにしたものが提案されている。
【特許文献１】特開２００１−２１３４１８号公報
【特許文献２】特開２００２−０６８１５６号公報
【０００５】
しかしながら、従来の改善策では、使用後に不用となったボトルの回収時における運送量の増大を図ることのみを目的としたものであって、製造時の「空」のボトルに所要の液状物を封入するために、当該ボトルを所定の封入施設へ運送する場合、運送量を増大するという技術思想も技術手段も全くなく、このため、封入作業の効率化を図ることが出来ないという欠点がある。
【発明の開示】
【発明が解決しようとする課題】
【０００６】
本発明は、上記のような実情に鑑み、従来の欠点を一掃すべく、全く新しい構想に基づいて創案されたものであって、その意図するところは、ペットボトル以外の別部材を必要とすることなく、ペットボトルの底面部を対向側壁から、それぞれボトルの内方へ向けて押圧するだけの簡単な操作でボトルの容積を実質的に縮少でき、かつ復元可能な形状に成型できるようにして、ボトルの回収時における運送量の増大は勿論のこと、製品化されたボトルに所要の液状物を封入するために運送する際にも、ボトルの運送量を増大させることができるペットボトルを提供することを課題とするものである。
【課題を解決するための手段】
【０００７】
上記課題を解決するため、本発明が採用した技術手段は、柔軟性で可撓性のある比較的硬質の合成樹脂材で製造されたペットボトルにおいて、上記ボトルの底面部裏面側側縁対向部位にそれぞれ、凹部と凸部とを対設し、上記凹部と凸部をボトル本体の外周面からそれぞれ内方へ押圧することによって、底面部が山形状に折曲して、凹部と凸部が係合され、係合時にボトルの容積が実質的に縮少されるとともに、折曲された底面部を外方へ開くことによって、係合状態が離脱して容積が復元可能となるようにに形成されていることを特徴とするものである。
【発明の効果】
【０００８】
したがって、本発明によれば、製品化された時点でのボトルの形状が大きく、嵩ばっていても、液状物の封入施設への運送時や、使用後の回収時には、ボトルの容積を実質的に縮少して運送量の増大を図ることが出来る。
【０００９】
そのうえ、液状物の封入施設への運送時にボトルの容積を縮少させた状態で運送してもボトルの対向側壁を外側方へ開くようにすれば、容積の復元が出来るばかりでなく、封入に先立って洗浄が行われても洗浄水の水圧によって縮少されたボトルの容積が復元するので、封入時の作業に支障を来たすことがなく、効率化を図ることが出来る。
【発明を実施するための最良の形態】
【００１０】
本発明の構成を図面に示された一実施例について説明する。
図１はペットボトルの全体正面図であって、該ボトル１は、柔軟性で可撓性のある比
較的硬質の合成樹脂で加工成型されており、本体１aは比較的硬質で肉厚の薄い合成樹脂で成型され、その上端中央部に開設された液状物の封入口２は比較的硬質で肉厚の厚い合成樹脂で成型されている。封入口２には図示しない蓋体が被冠されるようになっている。
【００１１】
図２はボトル１の底面図、図３は同上斜視図を示すものであって、ボトル１の底面部３の裏面3a側の対向側縁３a’、３a”には、それぞれ凹部４と凸部５とが対設されており、凹部４の凸部５への係合幅は、僅かな押圧力と引離力で係脱可能となるように
側壁６、６によって規制されている。図４は、凹部４と凸部５が係合されて、ボトル１の容積が縮少されている場合を示すボトル１の全体側面図である。
【００１２】
その際、凹部４は比較的硬質で肉厚の薄い合成樹脂で成型されており、凸部５は比較的硬質で肉厚の厚い合成樹脂で成型されているので、上記凹部４と凸部５をボトル本体１aの外周側からそれぞれ内方僅かな力で押圧すれば、底面部３aに設けた折曲案内線３ｂが稜線となって底面部３aが側面視山形状に折曲して凹部４への凸部５の係合が容易に出来るばかりでなく、係合によって縮少されたペットボトル１の係合状態も僅かな引離力で容易に離脱できるようになっている。なお、凸部５と側壁６の形状は図２および図３に稜線５’、６’  示したように三角形状のものであるが形状には全く限定されない。
【００１３】
したがって、本発明によれば、使用後の「空」となったペットボトル１の回収時、該ボトル１の容積を実質的に縮少させて、運搬車の限られた収納スペースを有効に利用することが出来、運送量の増大を図って効率のよい回収作業を行う事が出来る。
【００１４】
そのうえ、従来の改善策では、全く解決できなかった製造時の大きく嵩ばった形状のボトル１も、液状物の封入施設への運送時には、回収作業の場合と同様にボトル１の容積を実質的に縮少して運送することが出来、運送量の増大を相俟って、封入作業も効率的に行うことが出来る。
【図面の簡単な説明】
【００１５】
【図１】ペットボトルの全体正面図
【図２】ペットボトルの底面図
【図３】ペットボトル底面部の斜視図
【図４】凹部と凸部との系合状態を示すペットボトルの全体側面図
【符号の説明】
【００１６】
１    ペットボトル
１a  ボトル本体
２    封入口
３    ボトル底部
３a  底部の裏面
４    凹部
５    凸部
【図１】
2009161240.tif 000003
【図２】
2009161240.tif 000004
【図３】
2009161240.tif 000005
【図４】
2009161240.tif 000006